(57)【特許請求の範囲】
【請求項１】
１つ以上の電気導体を備えた布地シェルを有する衣服であって、１つ以上の前記電気導体の各々は、前記布地シェルの各ポケットに収容された複数の電子装置のうちの少なくとも１つの電子装置に接続可能であり、
前記各ポケットは、機械的コネクタ手段を備え、前記布地シェルは、前記ポケットが前記布地シェルに取外し自在に取り付けられることができるように、相補型機械的コネクタ手段を備え、前記各ポケットは当該ポケット内の装置と１つ以上の前記電気導体との間の電気的接続を確立する手段を更に有し、
前記電気的接続を確立するための手段は、前記ポケット内から外側に延在するアダプタケーブルを有し、前記アダプタケーブルの外部端は、１つ以上の前記電気導体との電気的接続及び取り外しを可能にする手段を備え、
前記布地シェルには、外部シェルが取り付けられ、前記布地シェルは、前記機械的コネクタ手段と前記相補型機械的コネクタ手段との分離を行うことなく、前記ポケットを前記外部シェルの外側位置から前記布地シェルと前記外部シェルとの間の位置に入り込ませることができるように構成された衣服。
【請求項２】
前記アダプタケーブルの前記ポケット内の端部は、前記ポケット内の装置との電気的接続を可能にするコネクタ手段を有する請求項１に記載の衣服。
【請求項３】
前記電気的接続及び取り外しを可能にする前記手段は、嵌合するプラグとソケットとのペアを有することを特徴とする請求項１又は請求項２に記載の衣服。
【請求項４】
１つ以上の前記ポケットは、電気シールド材料を有する請求項１に記載の衣服。
【請求項５】
前記ポケットは、収容される前記電気装置の取出し又は交換ができるように開くことができる布地カバーを有する請求項１に記載の衣服。
【請求項６】
前記布地カバーは、前記電気装置の取出し又は交換の後に閉じることができるように他の相補型機械的コネクタ手段が備える請求項５に記載の衣服。
【請求項７】
前記相補型機械的コネクタ手段はホックを有する請求項１乃至６のうちのいずれか１項に記載の衣服。
【請求項８】
前記相補型機械的コネクタ手段はＶｅｌｃｒｏ（Ｒ）のパッチを有する請求項１乃至６のうちのいずれか１項に記載の衣服。
【請求項９】
前記電気導体は前記布地シェルに着脱可能に取り付けられる請求項１乃至８のうちのいずれか１項に記載の衣服。
【請求項１０】
前記ポケットは、当該ポケットが前記衣服にどのように取り付けられるべきかをユーザに示す外部マーキングを坦持する請求項１乃至９のうちのいずれか１項に記載の衣服。
【請求項１１】
前記布地シェルは、前記ポケットが前記衣服にどのように取り付けられるべきかをユーザに示すマーキングを坦持する請求項１乃至１０のうちのいずれか１項に記載の衣服。
【請求項１２】
請求項１乃至１０のいずれか１項に記載されたようなポケットの技術的特徴を有する電気装置用のカバー。
【請求項１３】
電気装置を受け入れるための第１のコンパートメントと他のアイテムを収納するためのユーザがアクセス可能な１つ以上の他のコンパートメントとを有するように形成された請求項１２に記載のカバー。
【発明の詳細な説明】
【０００１】
【発明の属する技術分野】
本発明は携帯電子装置及びシステムに関し、特に、適切に相互接続された複数の斯かる電子装置を受け入れるための手段を備えた布地シェルを有する衣服に関する。本発明は更に、斯かる装置用の、例えば保護ケーシング等のカバーに関する。
【０００２】
【従来の技術】
電気装置（本例では携帯電話）用の保護ケーシングの一例が英国特許出願GB-A-2 305 361号公報（Wen-Chung Yu 及び Edvard Rubin）に記載されている。記載されたケーシングの独自の特徴は、ユーザの電話制御部へのアクセスを可能にするための単に部分的なものであり、携帯電話の電気充電接続部に一体型コネクタを備え、ケーシングの外部に設けられた電気的コネクタに結合される。対応する電気的コネクタを伴う充電部を備えることによって、ユーザは携帯電話をジャケットから取り外さずに充電することができる。
【０００３】
冒頭に記載した型式の衣服の一例が米国特許US5,148,002号公報（Kuo等）に示されている。この公報には、外部シェル衣服と、加熱装置、通信装置及び表示装置を含む複数の電子モジュールとを有する多機能衣服が記載されている。
【０００４】
冒頭に記載された型式の衣服の他の例が米国特許US4,539,700号公報（佐藤）に示されている。この公報には衣服の形状のパーソナルポータブルオーディオ装置が記載されており、この衣服はシステムの構成要素を受け入れるための複数のポケットを有し、当該衣服の左右の肩部には音の再生のための一対のスピーカが備えられている。オーディオ信号源の装置からスピーカまでの配線は衣服内に隠されており、衣服はポケットに配される装置との電気的接続を確立するためのコネクタをそのポケット内に有する。
【０００５】
佐藤特許は、相互接続による問題、すなわち衣服の着用者が種々のモジュール又は部品を相互接続する配線に巻き込まれるという問題に応えるための１つの手段を説明している。衣服自体の内部に配線を隠すこと及びポケット内での斯かる配線の相互接続によって、他の問題をまねく。ドライクリーニング又は通常のランドリーに関わらず、衣服を繰り返しクリーニングできるようにするため、電気装置は衣服から簡単に取り外すことができるべきである。しかしながら、このことは、特に、装置が開いたポケットから落ちる危険があるが衣服に備えられた導線との接触を維持する必要もあるスポーツ活動用の衣服の場合に、この装置が安全に支持されることを必要とするのとは矛盾する。
【０００６】
【発明が解決しようとする課題】
従って、本発明の目的は、装置の取外し及び／又は交換を簡単にすることによる問題に対処する衣服を提供することにある。
【０００７】
【課題を解決するための手段】
本発明の第１の態様によれば、１つ以上の電気導体を備えた布地シェルを有する衣服であって、１つ以上の前記電気導体の各々は、前記布地シェルの各ポケットに収容された複数の電子装置のうちの少なくとも１つの電子装置に接続可能であり、前記電子装置の各ポケットは前記布地シェルから着脱可能であり、前記各ポケットは機械的コネクタ手段が備えられた布地カバーを有し、前記衣服の布地シェルは、前記布地カバー及び前記電子装置が前記衣服に取外し自在に取り付けられることができるように相補型機械的コネクタ手段を備え、前記各ポケットは当該ポケット内の装置と１つ以上の前記電気導体との間の電気的接続を確立する手段を更に有する衣服が提供される。本発明では、衣服から簡単に取り外すことができる装置を必要とするのではなく、衣服からポケット自体を取り外すことができるようにすることによって、電子装置の衣服への取付けの安全性が、（上記の佐藤システムのような）ポケット内での電気的接続手段による機械的安全性で決まるのではなく、ポケットを定位置で支持する機械的手段によって決められる。
【０００８】
電気的接続を確立する前述の手段は、装置の電気的接続部へのアクセスを可能とするためにポケットの布地カバーに単なる開口を有することができるが、この方法では装置の電気的接続部が露出してしまい、無防備となる。しかしながら、前記電気的接続を確立するための手段は、前記ポケット内から外側に延在するアダプタケーブルを有し、前記アダプタケーブルの前記ポケット内の端部は、前記ポケット内の装置との電気的接続を可能にするコネクタ手段を有し、前記アダプタケーブルの外部端は、１つ以上の前記電気導体との電気的接続を可能にする手段を備えることが好ましい。このような構成によれば、アダプタケーブル、ポケット及び電気装置が単一ユニットとして簡単に取り外すことができるため、ポケットから装置を取り外さずに、ポケット内の電気装置の分離を容易に達成できる。このことを更に容易にするために、前記アダプタケーブルの前記外部端と１つ以上の前記電気導体との間の電気的接続を可能にする前記手段は、嵌合するプラグとソケットとの適切なペアを有する。
【０００９】
以下にさらに充分詳細に記載されているように、１つ以上の前記ポケットは前記衣服に取り付けられ、前記布地シェルは、前記相補型機械的コネクタ手段の分離を行うことなくユーザが前記ポケットを前記布地シェルの外側の第１の位置から前記布地シェルの開口内に隠れた第２の位置に移動できるように構成される。
【００１０】
本発明の他の態様によれば、上記のポケットの技術的特徴を有する電気装置用のカバーが提供される。先に言及したＹｕ及びＲｕｂｉｎの電話カバーと違って、このようなカバーは、衣服の一部として組み込むとともに、カバーで覆われた装置との（電気充電のためではない）電気的接続を確立する手段を備えるのに適している。このようなカバーは、電気装置を受け入れるための第１のコンパートメントと、（特に、専ら電気装置に関係するアイテムではなく）他のアイテムを収納するためのユーザがアクセス可能な１つ以上の他のコンパートメントとを有するように形成することができる。例えば、斯かる取外し可能なポケットは、ミニディスク（Ｒ）プレーヤを収容する第１のコンパートメントと１つ以上の再生されるミニディスクを保持する第２のコンパートメントとを有することができる。
【００１１】
本発明の他の特徴は、以下に記載される好適実施例を読むことによって明らかになり、添付された特許請求の範囲に記載されている。この好適実施例は基準とされるべきであり且つその実施例の開示は参考として本明細書に組み込まれる。
【００１２】
本発明の実施例は、添付図面を基準として例を通じて記載される。
【００１３】
【発明の実施の形態】
図１及び図２を始めとして、相互接続された複数の電気装置を備えた（上半身用及び下半身用それぞれの）衣服の概略が示されている。通常、衣服の形状、機能及びスタイルは、２つ以上の電気装置（この装置は、衣服の周囲に配された単一の装置を構成する複数の個別部品であってもよい）を支持する性能が要求される場合以外は本発明の動作とは無関係であることが認識されるだろう。
【００１４】
各衣服は一つ以上の電気導体１２を備えた布地シェル１０を有する。この電気導体１２は、１対の装置の間を、単一の導体から多数の装置を相互接続する（図示されたような）完全な配線ルームの形状に広がることができる。このような装置とともに用いるのに適した配線ルームの更なる詳細は、“衣服装置”という名称の同時出願に記載されている。
【００１５】
図１の例では、（接尾文字Ｐによって識別される各ポケットに）支持される装置は、デジタルオーディオ（ＭＰ３）再生装置１４、携帯電話１６、例えば再生装置１４用のオーディオデータ又は電話１６用の番号を保持するデータ記憶装置１８及び全ての装置用の電源２０からなる。（オーディオプレーヤ１４又は電話１６用の）袖に設けられた１組の制御部２２、電話１６用のマイクロフォン２４、電話１６又はオーディオプレーヤ１４のどちらかに用いられる一対のイヤホン２６も、ルーム１２に結合されている。
【００１６】
図２の例では、支持される装置は、同じく各ポケットＰに支持されており、（一体型電源を有するとした）オーディオプレーヤ２８、このプレーヤ用の制御装置３０、及びスピーカ３２又は他のオーディオ出力装置からなり、これらはルーム１２によって相互接続されている。ユーザが身につける別々の衣服それぞれの配線ルーム（従って支持された装置）を相互接続するために、図１の３４及び図２の３６で示されるような手段を設けることができる。
【００１７】
各ポケットの装置の各々は、図１においてルームから取り外されて示されているポケット３８.Ｐ内のコンパクトディスク（ＣＤ）プレーヤ３８によって示されているように、布地シェル１０及びルーム１２から着脱可能である。このコンパクトディスクは、（図示されているように）電話１６の代わりに取り付けられることができる。図示されているように、各ポケットは、それ自体が適切に、ルーム１２上の対応する（Ｆ又はＭ）コネクタへの接続のための外部オス型又はメス型コネクタ（接尾文字Ｍ又はＦ）に終端するアダプタケーブルを有する。認識されるように、衣服上の単一の位置に（電話１６及びＣＤプレーヤ３８のような）交換可能な装置を備えることができる場所では、どちらの装置も同じコネクタに簡単にプラグ接続できるように、オーディオチャネル及び電源用に必要なルーム側のＭ／Ｆコネクタに共通の接続部を備えるべきである。供給電圧又は出力信号のレベルに関する調整は、装置自体に又はポケット内に収容された専用のアダプタに設けるべきである。
【００１８】
本発明の拡張的な特徴又は関連する特徴において、ルーム１２の全体又は一部が（冒頭で述べた佐藤の引用文献のように）衣服内に組み込まれてもよく、更には、洗濯ができるように取外し可能であることが好ましい。このような取外し可能な配線装置又はケーブル装置は、本出願人が「取外し可能な電子装置を伴う衣服」という名称で出願した明細書に記載されている。
【００１９】
図３に示すように、各ポケットＰは機械的コネクタ手段４２を備えた布地カバー４０を有し、衣服の布地シェル１０は、布地カバー４０及び装置を衣服のシェルに取外し可能に取り付けることができるように、相補型機械的コネクタ手段（４４；図４）が備えられている。機械的コネクタ手段４２、４４は、Ｖｅｌｃｒｏ（Ｒ）のパッチによって適切に構成されているが、ホック、ボタン、ジッパー、鉤ホックコネクタ及び他の留め金具を含む他のコネクタ手段を用いることもできる。ポケットの布地カバー４０は、装置を交換したり又は他の理由で点検するために上記のグループの機械的コネクタ手段を用いて開くことができ、その他の場合は、安全のためにポケットを閉じることができることが好ましい。
【００２０】
ポケットＰは、当該ポケットＰ内の装置Ｄとルーム１２（図１）との間の電気的接続を確立するための手段を、アダプタケーブル４８の一端において、コネクタ４６の形状で有する。このコネクタ４６は、プラグ接続するなどして信号及び電源の装置Ｄへの接続を確立するように構成されている。先に記載したように、アダプタケーブルの外部端（ポケットの端外部）に、雄型／雌型（Ｍ／Ｆ）コネクタの右半分が備えられ、残りの半分は衣服のポケットの近くに組み込まれ、接続できるようになっている。
【００２１】
このことは、図４に更に示されている。図４は衣服の生地の縦断面を示し、布地シェル１０は、断熱裏地材５４を挟む内部裏地５０及び外部シェル５２を有する。衣服に備えられた（Ｆ）コネクタの半分は外部シェル５２に取り付けられ、そこから（即ち、衣服に備えられたルーム１２から）コネクタは裏地５４内に延在する。図３によって示されるように、ポケットは、電気的シールドを装置Ｄに備えるか又はこの装置Ｄから電気的にシールドするために、導電メッシュ等５６を含むことができ、図４に示すように、ポケットを取り外したときにコネクタ部（Ｍ／Ｆ）を覆うため、（５８で示すように）更に布地の垂れ蓋又はカバーを備えることができる。
【００２２】
図５乃至図７には、装置を含むポケットの折畳式の実施例が示されている。図５には、ポケットＰが完全に広がった状態が示されており、縦長側部６０は、機械的固定手段４２，４４から（一体型装置を伴う）ポケットＰをつるしており、他の固定手段６２，６４は、この側部６０の下端の揺れに対してその下端を固定している。理解しやすいように、装置Ｄ用のアダプタケーブルは省略されている。６６で示されているように、ポケットの布地カバーには、（ポケットが取り外されたときに）そのポケットをどのようにして衣服に再度取り付ければよいのかをユーザが識別できるように、視覚的なマークを設けることができる。さらに、この衣服自体が、ポケットの各々をどのようにして再度取り付けなければならないかを示すために、マーク（図示せず）を設けてもよい。
【００２３】
図６は、図５の実施例において一部分がしまい込まれた状態を示しており、ポケットＰは、布地シェル１０の外部シェル５２の内側のジッパーを開けた開口Ａ内に入り込む方向に向けて、縦長側部６０内に部分的に折り込まれている。
【００２４】
図７は、側部６０に折り込むことにより開口Ａ内に完全に入り込んだポケットＰを示す。この装置は、図５の開いた状態の装置では、この装置Ｄは外側に備えられ且つ公衆に示されるが（特にこの目的でポケットＰに１つ以上の窓又は開口が設けられる場合）、一方、図７の折り込まれた装置ではこの装置は視界から見えなくなるという点で、ユーザに安全性を与えている。
【００２５】
図８はポケットＰの他の代替実施例である。このポケットＰは、前述の通り装置Ｄを収容する第１の開口部６８を有するが、カセットプレーヤ用のオーディオカセットのような装置Ｄに適切に関連する他のアイテムを収容するためにユーザが利用可能な第２の開口部７０を有する。
【００２６】
本明細書の記載から、当業者にとって他の修正例は明白だろう。斯かる修正例は、衣服及びそれに組み込まれたアプリケーション及び装置の設計、製造及び使用において既知であり、且つ、上述した特徴の代わりに又はそれらに追加して使用することが出来るような他の特徴を含むことが出来る。
【図面の簡単な説明】
【図１】  取外し可能な各ポケット内に対応した電気装置を有する衣服を概略的に表す。
【図２】  取外し可能な各ポケット内に対応した電気装置を有する衣服を概略的に表す。
【図３】  電気装置とこの電気装置への接続のための手段とを含むポケットの、一部が切断された斜視図である。
【図４】  衣服に取り付けられる図３のポケットの縦断面図である。
【図５】  開位置から閉位置まで移動するポケットの他の実施例を示す。
【図６】  開位置から閉位置まで移動するポケットの他の実施例を示す。
【図７】  開位置から閉位置まで移動するポケットの他の実施例を示す。
【図８】  電気装置及び他のアイテムのための収容部を伴うポケットを表す。
【図１】
0005116930.tif 000002
【図２】
0005116930.tif 000003
【図３】
0005116930.tif 000004
【図４】
0005116930.tif 000005
【図５】
0005116930.tif 000006
【図６】
0005116930.tif 000007
【図７】
0005116930.tif 000008
【図８】
0005116930.tif 000009